(57)【要約】【課題】  運搬や取り扱いに便利な簡易トイレとそのハウスの提供。【解決手段】  本発明のトイレハウスは、抜き差し自在な部材や脱着自在な部材を組み合わせて組立解体自在に枠構成されたハウスフレームと、1枚又は複数枚の部材で前記ハウスフレームを覆うよう着脱自在に被せられたカバーシートとを備えたことを特徴とする。又、本発明の簡易トイレは、簡易トイレ用ハウスに便器と便貯蔵タンクとが接続分離自在に設置され、便器は、便貯蔵タンクとの接続口を手動にて開閉自在な開閉蓋を有することを特徴とし、便貯蔵タンクは、当該貯蔵タンクを運搬の際に便器との接続口を密閉する着脱自在な密閉蓋を有すると共に人手による運搬の際の手掛かりとなる取っ手部を有することを特徴とする。【選択図】図１
2005290772.tif 000002
【特許請求の範囲】
【請求項１】
抜き差し自在な部材や脱着自在な部材を組み合わせて組立解体自在に枠構成されたハウスフレームと、1枚又は複数枚の部材で前記ハウスフレームを覆うよう着脱自在に被せられたカバーシートとを備えたことを特徴とする簡易トイレ用ハウス。
【請求項２】
ハウスフレームの接地脚部の全部又は少なくとも一部が地面に抜き差し自在に形成されたことを特徴とする請求項１に記載の簡易トイレ用ハウス。
【請求項３】
カバーシートの一部に形成される出入口開閉用の出入口シートは引き幕又はチャックにて開閉自在とされたことを特徴とする請求項1又は請求項２に記載の簡易トイレ用ハウス。
【請求項４】
請求項１乃至請求項３の何れかの簡易トイレ用ハウスに、便器と便貯蔵タンクとが接続分離自在に設置されたことを特徴とする簡易トイレ。
【請求項５】
便器と貯蔵タンクとは接続口を介して便流路が連通するよう上下に重ねて設置されたことを特徴とする請求項４に記載の簡易トイレ。
【請求項６】
便貯蔵タンクは、当該貯蔵タンクを運搬の際に便器との接続口を密閉する着脱自在な密閉蓋を有すると共に人手による運搬の際の手掛かりとなる取っ手部を有することを特徴とする請求項４又は請求項５に記載の簡易トイレ。
【請求項７】
便器は、便貯蔵タンクとの接続口を手動にて開閉自在な開閉蓋を有することを特徴とする請求項４乃至請求項６に記載の簡易トイレ。
【請求項８】
貯蔵タンクは、ハウス外に延在される臭気抜き通気部材と接続される臭気抜き口を有すると共に当該貯蔵タンクを運搬の際に前記臭気抜き口を密閉する臭気栓を有することを特徴とする請求項４乃至請求項７の何れかに記載の簡易トイレ。
【発明の詳細な説明】
【技術分野】
【０００１】
本発明は、土木建築の作業現場等、屋外に臨時に仮説される簡易トイレとそのハウスに関するものである。
【背景技術】
【０００２】
従来のこの種の簡易トイレ、例えば、建築工事現場等に仮設される作業員用の簡易トイレは、そのトイレハウス（以下、ハウスともいう）が一体成形された強化プラスチック製であったり、或いは、組立式の金属製のものであったりして、容積が大きすぎたり重量が嵩張る等、運搬や取り扱いには大変不便であった。
【発明の開示】
【発明が解決しようとする課題】
【０００３】
本発明は、上記のような不便を解消し、運搬や取り扱いに便利な簡易トイレとそのハウスの提供を目的とする。
【課題を解決するための手段】
【０００４】
請求項１の簡易トイレ用ハウスの発明は、抜き差し自在な部材や脱着自在な部材を組み合わせて組立解体自在に枠構成されたハウスフレームと、1枚又は複数枚の部材で前記ハウスフレームを覆うよう着脱自在に被せられたカバーシートとを備えたことを特徴とする。
【０００５】
請求項２の発明は、請求項１に記載の簡易トイレ用ハウスにおいて、ハウスフレームの接地脚部の全部又は少なくとも一部が地面に抜き差し自在に形成されたことを特徴とする。
【０００６】
請求項３の発明は、請求項1又は請求項２に記載の簡易トイレ用ハウスにおいて、カバーシートの一部に形成される出入口開閉用の出入口シートは引き幕又はチャックにて開閉自在とされたことを特徴とする。
【０００７】
請求項４の簡易トイレの発明は、請求項１乃至請求項３の何れかの簡易トイレ用ハウスにおいて、便器と便貯蔵タンクとが接続分離自在に設置されたことを特徴とする。
【０００８】
請求項５の発明は、請求項４に記載の簡易トイレにおいて、便器と貯蔵タンクとは接続口を介して便流路が連通するよう上下に重ねて設置されたことを特徴とする。
【０００９】
請求項６の発明は、請求項４又は請求項５に記載の簡易トイレにおいて、便貯蔵タンクは当該貯蔵タンクを運搬の際に便器との接続口を密閉する着脱自在な密閉蓋を有すると共に人手による運搬の際の手掛かりとなる取っ手部を有することを特徴とする。
【００１０】
請求項７の発明は、請求項４乃至請求項６に記載の簡易トイレにおいて、便器は便貯蔵タンクとの接続口を手動にて開閉自在な開閉蓋を有することを特徴とする。
【００１１】
請求項８の発明は、請求項４乃至請求項７の何れかに記載の簡易トイレにおいて、貯蔵タンクは、ハウス外に延在される臭気抜き通気部材と接続される臭気抜き口を有すると共に当該貯蔵タンクを運搬の際に前記臭気抜き口を密閉する臭気栓を有することを特徴とする。
【発明の効果】
【００１２】
請求項１乃至請求項８の各発明によれば、何れも、簡易トイレのハウスが組立解体自在な部材でフレームが構成され、このフレームにシートを被せた構成であるので、解体時の容積が極めて小さくなり、しかも組立が容易となるので、運搬や取り扱いに便利な簡易トイレ用のトイレハウスを提供することができる。
【００１３】
請求項１乃至請求項３の各発明によれば、何れも、トイレハウスとしてのみならず、野外における仮設更衣室や雨水を避けることができる小室として等広く用途に応じて活用することもできる。
【００１４】
請求項４乃至請求項５の各発明によれば、何れも、便器と便貯蔵タンクとが接続分離自在に直結されているので、組立や解体を容易に行うことができ、運搬や取り扱いに便利な簡易トイレを提供することができる。
【００１５】
請求項６の発明によれば、便貯蔵タンクが取り扱い易くなるので、当該便貯蔵タンクの運び出しによる便の処分作業や清掃作業等を容易に行うことができる。
【００１６】
請求項７及び請求項８の各発明によれば、何れも、便貯蔵タンクからの臭気漏れを抑制することができるので、
従来に比べてトイレ内雰囲気が清浄な簡易トイレを提供することができる。
【発明を実施するための最良の形態】
【００１７】
以下、本発明を建築工事現場に仮設される簡易トイレ及びそのハウスを例にして説明する。
【実施例１】
【００１８】
先ず、実施例１において簡易トイレ用ハウス（以下、トイレハウスともいう）を、図1及び図2に基づいて説明する。
図１はハウスフレームの組立状態を示す斜視図、図２は組み立てられたハウスフレームを覆うようにハウスシートが装着された状態を示す斜視図である。
【００１９】
図１において、ハウスフレーム１は、組立時において略直方体の辺に相当する枠構成となる構成部材（以下単に部材ともいう）が互いに抜き差し自在従って組立解体自在に組み合わされている。
【００２０】
図中の符号１１、１１、１１、１１は四隅に立つ柱部材、１２、１２、１２、１２は上部梁部材で前記４本の柱部材１１、１１、１１、１１の上端間に梁渡される。各柱部材１１、１１、１１、１１の上端側には各々三方継手部材１３、１３、１３、１３が抜き差し自在に嵌合されており、各三方継手部材１３、１３、１３、１３の残された２方向に各々上部梁部材１２、１２が抜き差し自在に嵌合されている。
【００２１】
各柱部材１１、１１、１１、１１の下端側には各々四方継手部材１４、１４、１４、１４が抜き差し自在に嵌合されている。この四方継手部材１４は直線方向において両端方向に各々嵌合部が開口し、直線方向と直角方向において更に互いに直角の２方向に嵌合部が各々開口する変形四方継手部材である。この直角２方向の嵌合部に、各柱部材１１、１１、１１、１１の下端間に梁渡される下部梁部材１５、１５、１５、１５の各々の端が抜き差し自在に嵌合されている。
【００２２】
各四方継手部材１４、１４、１４、１４の残る嵌合部即ち柱部材１１の下方延長線上に開口する下方向きの嵌合部には、下端側が地面に抜き差し自在に食い込むよう形成された突刺部材１６の上端側が抜き差し自在に嵌合されている。こうして組み立てられたハウスフレーム１は、接地脚部としての四隅の突刺部材１６、１６、１６、１６の全部が地面に突き立てられることにより安定に設置されるが、これに限らず、ハウスフレーム１の形状やサイズによっては設置脚部の一部を地面に突き立つよう構成してもよい。
【００２３】
又、上記のハウスフレーム１では、各構成部材が互いに抜き差し自在な構成となっているが、必ずしもこれに限らず、適宜な噛み合わせ構造であってもよいし、抜き差し構造と噛み合わせ構造とを適宜選択して脱着自在にしてもよい。
【００２４】
図２において、カバーシート２は、上記のように組み立てたハウスフレーム１の上方から当該ハウスフレーム１を覆い隠すように、1枚或いは複数枚の膜状部材を貼り合わせたり縫合したりして底面開放の略直方体状に形成され、当該ハウスフレーム１に着脱自在に装着可能にできるよう形成されている。このカバーシート２は不透明で、耐久性及び防風防水性に富んだ素材のものが好ましい。
【００２５】
図中の符号２１は、カバーシート１の出入口開閉用の出入口シートであり、一部に形成される出入口開閉用の出入口シートであり、横方向に引かれるカーテン形式の引き幕としてあるが、勿論これに限らず、チャック形式にて開閉自在に形成してもよい。
【実施例２】
【００２６】
次に、上記実施例１のトイレハウス１内に設置される便器と便貯蔵タンクとを図３を例にして説明する。
図３は便器と便貯蔵タンクとが組み立てられた状態を示す一部切欠斜視図である。
【００２７】
図３において、便器３は便貯蔵タンク４の上に、接続口５０を介して、便器３の便を便貯蔵タンク４に流下させる便流路が連通するよう上下に重ねられ、接続分離自在に載置されている。
又、この実施例に示す便器３には、便貯蔵タンク４との接続口即ち便器３側の流下口を下方から塞ぐ開閉蓋３１が設けられており、この開閉蓋３１はクランク手段を介して便器脇に配設された操作レバー３２を図の矢印方向に手動操作することによって、トイレ使用者が自在に開閉できる。
従って、不使用時にはこの開閉蓋３１で接続口を塞ぐことにより、便貯蔵タンク４内の臭気の漏れを防ぐことができる。
【００２８】
他方、この実施例に示す便貯蔵タンク４には、便器３との接続を外した際に、便器３との接続口を密閉する着脱自在な密閉蓋４１を備えると共に、当該便貯蔵タンク４の両端側に人手による運搬の際の手掛かりとなる取っ手部４２、４２が設けられている。
【００２９】
更に、この貯蔵タンク４には、トイレハウス外に延在される臭気抜き通気部材としてのパイプ４３が接続される臭気抜き口４４が設けられており、貯蔵タンク４を便器３から外して汚物処理等所要の運搬の際には、前記密閉蓋４１と同様に臭気抜き口４４を密閉する臭気栓４５を備えている。
【産業上の利用可能性】
【００３０】
本発明は、運搬や取り扱いに便利な簡易トイレとそのハウスの提供
土木建築の作業現場だけでなく、各種の催し会場等、屋外に臨時に仮説される簡易トイレとして利用できるだけでなく、水泳場や体育大会等、屋外で脱衣を要する場所や会場において更衣室としても利用することができる。
【図面の簡単な説明】
【００３１】
【図１】ハウスフレームの組立状態を示す斜視図である（実施例１）。
【図２】ハウスフレームにハウスシートが装着された状態を示す斜視図である（実施例１）。
【図３】便器と便貯蔵タンクとが組み立てられた状態を示す一部切欠斜視図である（実施例２）。
【符号の説明】
【００３２】
１    ハウスフレーム
１６  突刺部材
２    カバーシート
２１  出入口シート
３    便器
３１  開閉蓋
３２  操作レバー
４    便貯蔵タンク
４１  密閉蓋
４２  取っ手部
４３  臭気抜き通気（パイプ）
４４  臭気抜き口
４５  臭気栓
５０  接続口
【図１】
2005290772.tif 000003
【図２】
2005290772.tif 000004
【図３】
2005290772.tif 000005